(57)【要約】運転支援装置において、車両が走行中に、目標駐車位置への駐車経路の簡易判定を行い、車両の運転者の利便性を高めることのできる運転支援装置を提供する。推定停車位置からの自車両の最小回転半径以上の旋回半径を有する円弧と、駐車可能な位置からの自車両の最小回転半径以上の旋回半径を有する円弧とに基づいて、駐車可能な位置への駐車経路を評価する。
2019003530.tif 000002
【特許請求の範囲】
【請求項１】
外界情報を取得する外界情報取得部と、
前記外界情報取得部で取得された外界情報から自車両が駐車可能な位置を演算する駐車可能位置演算部と、
自車両の位置を検出するとともに、前記自車両の位置から自車両が停車すると推定される推定停車位置を推定する自車停車位置推定部と、
前記推定停車位置から１つもしくは複数の前記駐車可能な位置への駐車経路を評価する駐車経路評価部と、を備える運転支援装置であって、
前記駐車経路評価部は、前記推定停車位置からの前記自車両の最小回転半径以上の旋回半径を有する円弧と、前記駐車可能な位置からの前記自車両の最小回転半径以上の旋回半径を有する円弧とに基づいて、前記駐車経路を評価することを特徴とする運転支援装置。
【請求項２】
前記自車両の位置から、前記駐車経路評価部の評価結果に基づき選択された前記駐車可能な位置までの駐車経路を演算する駐車経路演算部を更に備えることを特徴とする請求項１に記載の運転支援装置。
【請求項３】
前記駐車経路評価部は、前記推定停車位置からの前記自車両の最小回転半径以上の旋回半径を有する円弧と、前記駐車可能な位置からの前記自車両の最小回転半径以上の旋回半径を有する円弧との交点の数に基づいて、前記駐車経路を評価することを特徴とする請求項１に記載の運転支援装置。
【請求項４】
前記駐車可能な位置を表示する車載表示装置において、各駐車可能な位置への前記駐車経路の評価結果に応じて、各駐車可能な位置の表示内容を変更することを特徴とする請求項１に記載の運転支援装置。
【請求項５】
前記駐車経路評価部は、前記外界情報取得部で取得された外界情報から得られる障害物の位置を加味して、前記駐車経路を評価することを特徴とする請求項１に記載の運転支援装置。
【請求項６】
前記駐車経路評価部は、前記推定停車位置からの前記自車両の最小回転半径以上の旋回半径を有する円弧と、前記駐車可能な位置からの前記自車両の最小回転半径以上の旋回半径を有する円弧とが接する円弧を求めるとともに、前記推定停車位置からその接点までの円弧部分及びその接点から前記駐車可能な位置までの円弧部分における前記障害物の有無に基づいて、前記駐車経路を評価することを特徴とする、請求項５に記載の運転支援装置。
【請求項７】
前記駐車経路評価部は、前記推定停車位置からの前記自車両の最小回転半径以上の旋回半径を有する円弧と、前記駐車可能な位置からの前記自車両の最小回転半径以上の旋回半径を有する円弧の一方を固定値とし、前記推定停車位置からの前記自車両の最小回転半径以上の旋回半径を有する円弧と、前記駐車可能な位置からの前記自車両の最小回転半径以上の旋回半径を有する円弧の他方を変更して、前記接する円弧を求めることを特徴とする、請求項６に記載の運転支援装置。
【請求項８】
前記駐車経路評価部は、前記推定停車位置と、前記駐車可能な位置と、前記推定停車位置と前記駐車可能な位置とについて予め記憶した評価判定結果とを加味して、前記駐車経路を評価することを特徴とする請求項１に記載の運転支援装置。
【請求項９】
外界情報を取得する外界情報取得部と、
前記外界情報取得部で取得された外界情報から自車両が駐車可能な位置を演算する駐車可能位置演算部と、
自車両の位置を検出するとともに、前記自車両の位置から自車両が停車すると推定される推定停車位置を推定する自車停車位置推定部と、
前記推定停車位置から１つもしくは複数の前記駐車可能な位置への駐車経路を評価する駐車経路評価部と、を備える運転支援装置であって、
前記駐車経路評価部は、前記推定停車位置と、前記駐車可能な位置と、前記推定停車位置と前記駐車可能な位置とについて予め記憶した評価判定結果とに基づいて、前記駐車経路を評価することを特徴とする運転支援装置。
【発明の詳細な説明】
【技術分野】
【０００１】
本発明は、車両の運転操作を支援する運転支援装置に関する。
【背景技術】
【０００２】
運転者が車両を駐車する際に、目標とする駐車位置への車両の誘導を支援するために、運転者のステアリングホイール操作やアクセル操作、ブレーキ操作等の何れかまたは全てを支援する駐車支援装置等の運転支援装置が広く知られている。【０００３】
上記の駐車支援装置では、まず、駐車場において車載ソナーや車載カメラにより取得した自車両周辺の環境情報を解析することにより、自車両が駐車可能な場所（空間）を検出し、ナビゲーションシステムといった車載表示装置に駐車可能な場所が検出されたことを通知する。運転者は、自車両を停車後、車載表示装置の入力手段を用いて、車載表示装置（の画面）上に表示された駐車可能な場所のうち、駐車したい場所を目標駐車位置として選択し、駐車支援装置が駐車支援を開始することにより、目標駐車位置への自車両の駐車の際に駐車支援を受けることができる。【０００４】
上記の駐車支援装置において、目標駐車位置への駐車しやすさを判定する方法が知られており、特許文献１では、運転者が手動で自車両を目標駐車位置へ駐車する際に、ステアリングホイールの操舵量が少ない、あるいは切り返し回数が少ないといった指標で、駐車時の車両操作の容易性（つまり、運転者の操作負担）を判定する技術が提案されている。
【先行技術文献】
【特許文献】
【０００５】
【特許文献１】特開２０１１−０４６３３５号公報
【発明の概要】
【発明が解決しようとする課題】
【０００６】
しかしながら、上記従来の駐車支援装置においては、駐車可能な空間が見つかった時点では、車両は手動操作で走行中であるため、車両の運転手が駐車するために車両を停車した際には、車両停車位置から目標駐車位置に対して駐車経路を引けず、駐車支援を受けることができない可能性がある。また、車両が走行中に、リアルタイムで駐車経路を演算することは、処理負荷が高くなるとともに、自車位置が絶えず変化するために難しい。【０００７】
本発明は、前記問題に鑑みてなされたものであって、その目的とするところは、運転支援装置において、車両が走行中に、目標駐車位置への駐車経路の簡易判定を行い、車両の運転者の利便性を高めることのできる運転支援装置を提供することにある。
【課題を解決するための手段】
【０００８】
前記問題を解決するために、本発明に係る運転支援装置は、外界情報を取得する外界情報取得部と、前記外界情報取得部で取得された外界情報から自車両が駐車可能な位置を演算する駐車可能位置演算部と、自車両の位置を検出するとともに、前記自車両の位置から自車両が停車すると推定される推定停車位置を推定する自車停車位置推定部と、前記推定停車位置から１つもしくは複数の前記駐車可能な位置への駐車経路を評価する駐車経路評価部と、を備える運転支援装置であって、前記駐車経路評価部は、前記推定停車位置からの前記自車両の最小回転半径以上の旋回半径を有する円弧と、前記駐車可能な位置からの前記自車両の最小回転半径以上の旋回半径を有する円弧とに基づいて、前記駐車経路を評価することを特徴としている。【０００９】
また、本発明に係る運転支援装置は、外界情報を取得する外界情報取得部と、前記外界情報取得部で取得された外界情報から自車両が駐車可能な位置を演算する駐車可能位置演算部と、自車両の位置を検出するとともに、前記自車両の位置から自車両が停車すると推定される推定停車位置を推定する自車停車位置推定部と、前記推定停車位置から１つもしくは複数の前記駐車可能な位置への駐車経路を評価する駐車経路評価部と、を備える運転支援装置であって、前記駐車経路評価部は、前記推定停車位置と、前記駐車可能な位置と、前記推定停車位置と前記駐車可能な位置とについて予め記憶した評価判定結果とに基づいて、前記駐車経路を評価することを特徴としている。
【発明の効果】
【００１０】
本発明によれば、例えば車両に搭載されたセンシング手段を用いて取得した車両周辺の環境情報（外界情報）を解析し、車両の運転者が駐車するために車両が停車するであろう位置（推定停車位置）から目標駐車位置に対して駐車支援する際に追従する駐車経路を車両が走行中に評価して運転者に報知することにより、駐車支援を開始する前に運転者は駐車支援における駐車経路の優劣を知ることができ、目標駐車位置に対して駐車支援を使用した駐車をするか否かを判断することができる。そのため、車両の運転者の利便性を高めることができる。【００１１】
上記した以外の課題、構成及び効果は、以下の実施形態の説明により明らかにされる。
【図面の簡単な説明】
【００１２】
【図１】本発明に係る運転支援装置の一実施形態を概略的に示すシステム構成図。
【図２】図１に示す運転支援ＥＣＵの入出力信号の関係を示すブロック線図。
【図３】図１に示す運転支援ＥＣＵの内部構成を示すブロック線図。
【図４】図１に示す運転支援ＥＣＵによる演算処理手順を説明したフローチャート。
【図５】図１に示す運転支援ＥＣＵによる駐車経路評価処理の一例を概略的に説明した図。
【図６】図１に示す運転支援ＥＣＵによる駐車経路評価処理の他例を概略的に説明した図。
【図７】図１に示す運転支援ＥＣＵによる駐車経路評価処理の更なる他例を概略的に説明した図。
【図８】図１に示す運転支援ＥＣＵによる駐車経路評価処理の更なる他例を概略的に説明した図。
【図９】図１に示す運転支援ＥＣＵによる駐車経路評価処理に用いる評価判定結果の一例を示す図。
【発明を実施するための形態】
【００１３】
以下、本発明に係る運転支援装置の一実施形態を図面を参照して説明する。
【００１４】
本実施形態に係る運転支援装置は、例えば、乗用車、トラック、バスなどの移動体に適用することができる。本実施形態の運転支援装置は、例えば、駐車場内の駐車区画に車両を駐車させる場合に、運転操作を支援することができる。以下、本実施形態に係る運転支援装置の搭載される車両を自車両と呼ぶ場合がある。
【００１５】
図１は、本発明に係る運転支援装置の一実施形態を概略的に示したものである。
【００１６】
運転支援装置１００は、車両１に搭載され、主に、車両前方に搭載された前方カメラ２Ｆ、車両右方に搭載された右方カメラ２Ｒ、車両後方に搭載された後方カメラ２Ｂ、車両左方に搭載された左方カメラ２Ｌ、ソナー３、電動パワーステアリング装置６、右前車輪７ＦＲの車輪速を検知する右前車輪速センサ８ＦＲ、右後車輪７ＲＲの車輪速を検知する右後車輪速センサ８ＲＲ、左後車輪７ＲＬの車輪速を検知する左後車輪速センサ８ＲＬ、左前車輪７ＦＬの車輪速を検知する左前車輪速センサ８ＦＬ、車載表示装置９、運転支援ＥＣＵ（Electronic Control Unit）１０、車両制御ＥＣＵ１１等から構成される。
【００１７】
前方カメラ２Ｆ、右方カメラ２Ｒ、後方カメラ２Ｂ、左方カメラ２Ｌはレンズと撮像素子を備え、自車両１の周辺環境を撮像できるように適切に配置されている。各カメラ２Ｆ、２Ｒ、２Ｂ、２Ｌの撮像画像は運転支援ＥＣＵ１０に送信されて画像処理が行われる。以下、特に区別しない場合は、カメラ２と呼ぶ。カメラ２は、単眼カメラでもよいし、ステレオカメラでもよい。カメラ２がステレオカメラである場合、環境情報（外界情報）の精度が高くできる。
【００１８】
ソナー３は、車両１の前部、後部、側面部に複数設置されており、各ソナー３は、超音波を送信するとともに、上記超音波が周囲の障害物から反射した反射波を受信することにより、車両１周辺の障害物との距離を測定し、その測定結果は運転支援ＥＣＵ１０に送信される。運転支援ＥＣＵ１０では、各ソナー３から送信された測定結果である自車両１周辺の障害物情報を記憶する。
【００１９】
前記カメラ２およびソナー３は、自車両１周辺の外界情報を取得するための外界情報取得部を構成する。なお、前記カメラ２およびソナー３以外のセンシング手段を用いて、自車両１周辺の外界情報を取得しても良い。
【００２０】
車両１の車体の前後左右には、右前車輪７ＦＲ、右後車輪７ＲＲ、左後車輪７ＲＬ、左前車輪７ＦＬが配置されており、それら各車輪７ＦＲ、７ＲＲ、７ＲＬ、７ＦＬには、右前車輪速センサ８ＦＲ、右後車輪速センサ８ＲＲ、左後車輪速センサ８ＲＬ、左前車輪速センサ８ＦＬが設けられている。各車輪速センサ８ＦＲ、８ＲＲ、８ＲＬ、８ＦＬはそれぞれの車輪速を検知し、各車輪速を運転支援ＥＣＵ１０に送信する。運転支援ＥＣＵ１０は、前記各車輪速の情報をもとに自車両１の速度を演算する。以下、特に区別しない場合、右前車輪７ＦＲ、右後車輪７ＲＲ、左後車輪７ＲＬ、左前車輪７ＦＬを車輪７と呼び、右前車輪速センサ８ＦＲ、右後車輪速センサ８ＲＲ、左後車輪速センサ８ＲＬ、左前車輪速センサ８ＦＬを車輪速センサ８と呼ぶことがある。
【００２１】
電動パワーステアリング装置６は、車両１の運転室内に設けられたステアリングホイール５の操作量（操舵角）に応じて、車輪７の向きを変える。
【００２２】
電動パワーステアリング装置６は、例えばステアリングホイール５の操舵角を検知する操舵角センサ、各車輪７の向きを変えるトルクとなる操舵トルクを補助するモーター、操舵トルクを制御する電動パワーステアリングＥＣＵ（いずれも不図示）を備え、運転者のステアリングホイール５の操作を補助するように操舵トルクを制御して車輪７の向きを変える。電動パワーステアリング装置６の操舵角センサにより検知された操舵角は、運転支援ＥＣＵ１０に送信される。運転支援ＥＣＵ１０は、前記操舵角の情報をもとに自車両１の進行方向を演算する。
【００２３】
車載表示装置９は、車両１の運転室内に設けられており、運転者に対して各種情報を提供する。運転者へ提供される情報には、例えば、カメラ２により撮像されて運転支援ＥＣＵ１０によって処理された画像などがある。さらに、後述のように、車載表示装置９は、駐車可能な場所を運転者に提示する。車載表示装置９は、例えば、ディスプレイと入力装置とが一体化したタッチパネルとして構成してもよいし、カーナビゲーションシステムの一部であってもよいし、ヘッドアップディスプレイとして構成してもよい。車載表示装置９は、例えばキーボード、音声指示装置、スイッチなどの情報入力装置を備えてもよい。また、車載表示装置９の画面には感圧式または静電式のタッチパネルが搭載されており、各種の入力操作を可能とし、運転者はタッチパネルで入力操作を行うことにより、入力内容を運転支援ＥＣＵ１０に送信することができる。
【００２４】
運転支援ＥＣＵ１０は、カメラ２およびソナー３（外界情報取得部）から受信した環境情報データをもとに、自車両１が駐車可能な場所（位置）を演算する。また、運転支援ＥＣＵ１０は、自車両１の運転者が駐車支援を受けて上記駐車可能な場所に駐車するために車両を停車すると推定される場所（推定停車位置）を推定するとともに、上記環境情報と自車両１の最小回転半径といった車両情報に基づいて、上記推定停車位置から上記駐車可能な場所に対して駐車支援を行うために演算される駐車経路を評価し（後で詳述）、その評価結果および駐車可能な場所を車載表示装置９に送信する。車載表示装置９では、運転支援ＥＣＵ１０から送信された駐車可能な場所を表示中の自車両１周囲情報に重畳して表示するとともに、上記評価結果により、駐車可能な場所に対する駐車経路の評価が高かった場合は、運転者に推奨するような画面を表示する。運転者は、推奨される目標駐車位置（駐車可能な場所から選択された目標とする駐車位置）に対して駐車支援を受けた駐車を行うことにより、自車両１を素早く駐車可能であったり、違和感のない駐車経路をたどる駐車支援を受けることができる。また、上記評価結果が低かった場合は、駐車支援の際に追従する駐車経路を演算することができず、駐車支援を受けられない可能性もあるため、運転者は、評価が低い駐車位置に対しては駐車しないといった判断が可能となる。
【００２５】
次に、運転者は、自車両１の停車後に、車載表示装置９に表示されている適宜の駐車可能な場所を選択することにより、運転支援ＥＣＵ１０では、その情報をもとに、自車両位置（自車両１の停車位置）から上記選択された場所までの駐車経路を演算し、演算した駐車経路を車両制御ＥＣＵ１１に送信する。なお、ここでの駐車経路の演算は、従来知られた演算手法により行うことができる。
【００２６】
車両制御ＥＣＵ１１では、前記運転支援ＥＣＵ１０から送信された駐車経路に基づき自車両１について駐車可能な場所までの誘導を支援するために、運転者のステアリングホイール操作やアクセル操作、ブレーキ操作等の何れかまたは全てを支援する。
【００２７】
例えば、電動パワーステアリング装置６に目標とする操舵角情報を出力し、自車両１の駆動力を制御する駆動力制御ＥＣＵ（図示省略）に要求駆動力を出力し、自車両１の制動力を制御する制動力制御ＥＣＵ（図示省略）に要求制動力を出力することにより、自車両１の速度を制御し、自動変速機のシフトレンジを制御するシフトバイワイヤ制御装置（図示省略）にドライブレンジまたはリバースレンジまたはパーキングレンジの要求を出力することにより、自車両１のシフトレンジを制御する。車両制御ＥＣＵ１１で自車両１を制御することにより、運転者は、前記駐車可能な場所に駐車するための操作中に、適切な駐車支援を受けることができる。
【００２８】
図２は、図１に示す運転支援ＥＣＵ１０の内部構成の一例を概略的に示したものであり、図１に示す運転支援ＥＣＵ１０の入出力信号の関係を示すブロック線図である。
【００２９】
前記運転支援ＥＣＵ１０は、Ａ／Ｄ変換器を含むI／Ｏ  ＬＳＩ１０ａ、ＣＰＵ１０ｂ等から構成される。前記したように、カメラ２、ソナー３、電動パワーステアリング装置６、車輪速センサ８、車載表示装置９から信号が入力される。前記運転支援ＥＣＵ１０は、所定の演算処理にて、駐車支援を開始した際の駐車経路を評価し、その評価結果を車載表示装置９に送信して、当該車載表示装置９にてその結果を表示する。自車両１の運転者は、上記表示内容により駐車支援を実施するか否かを判断する。
【００３０】
図３は、図１に示す運転支援ＥＣＵの内部の機能ブロック構成を示したものである。このような機能ブロックは、ハードウェア、ソフトウェア、又はこれらを組み合わせたものによって実現される。
【００３１】
図３に示すように、運転支援ＥＣＵ１０は、基本的に、駐車可能位置演算部３０１、自車停車位置推定部３０２、駐車経路評価部３０３、駐車経路演算部３０４を備える。
【００３２】
駐車可能位置演算部３０１では、カメラ２あるいはソナー３（外界情報取得部）により取得した自車両１周辺の環境情報（外界情報）を解析し、自車両１が駐車可能な位置が存在するか否かを演算する。駐車可能な位置は、見つからない場合や、１つのみ見つかる場合、複数見つかる場合がある。駐車可能位置演算部３０１は、解析内容の一例として、自車両１周辺に、自車両１の全幅、全長、全高以上の駐車空間がある場合、その空間を駐車候補とし、駐車候補の座標位置と駐車候補周辺環境の解析結果を自車停車位置推定部３０２および駐車経路評価部３０３、車載表示装置９等に送信する。本実施形態では、カメラ２あるいはソナー３により取得した自車両１周辺の環境情報を入力の例として挙げたが、光を利用したセンサの情報をもとに解析しても良い。また、上記実施形態では、自車両１の幅、長さ、高さ以上の駐車空間がある場合、その空間を駐車候補としたが、駐車枠や駐車場案内標識等により駐車候補（自車両１が駐車可能な位置）を検出しても良い。
【００３３】
自車停車位置推定部３０２では、車輪速センサ８から受信した各車輪７の車輪速から自車両１の速度を演算し、電動パワーステアリング装置６の操舵角センサから受信するステアリングホイール５の操舵角から自車両１の進行方向を演算し、自車両１の車速及び進行方向から自車両１の座標位置を演算する。なお、自車両１の座標位置の検出方法は、これに限定されない。また、あらかじめ実験等により収集した結果より、駐車可能位置演算部３０１で演算した駐車候補が車載表示装置９に表示されてから、運転者が何秒後にブレーキをかけて停車するかといったデータ等により、現在の自車両１の位置から自車両１が停車するであろう停車位置（推定停車位置）を演算（推定）する。演算した結果は、駐車経路評価部３０３に送信される。
【００３４】
駐車経路評価部３０３では、駐車可能位置演算部３０１で演算された駐車可能な空間の座標位置とその周辺環境情報、自車停車位置推定部３０２で演算された自車両１が停車するであろう停車位置（推定停車位置）等をもとに、上記停車位置から上記駐車可能な空間への駐車経路を評価する（後で詳述）。なお、駐車可能な空間が複数見つかる場合は、各駐車可能な空間への駐車経路を評価する。その評価結果は、車載表示装置９に送信される。
【００３５】
車載表示装置９では、カメラ２により取得した駐車可能な場所（空間）を車載表示装置９に表示中の自車両１周囲情報に重畳して表示するとともに、駐車経路評価部３０３の評価結果により、駐車可能な空間への駐車経路の評価が高かった場合は、その駐車経路の駐車可能な空間（目標駐車位置）を推奨する画面を表示する。上記駐車経路評価部３０３の評価結果により、駐車可能な空間への駐車経路の評価が低かった場合は、その駐車経路の駐車可能な空間（目標駐車位置）を推奨しない画面を表示する。なお、駐車可能な空間が複数存在する場合は、各駐車可能な空間への駐車経路の評価結果（例えば、優先順位）に応じて、各駐車可能な空間の表示画面（例えば、色や濃淡、テキスト表示等の表示内容）を変更しても良い。自車両１の運転者は、車載表示装置９の画面表示をもとに、自車両１を駐車する場所を駐車可能な空間から選択するとともに、駐車支援開始の入力をボタンまたは音声等により行うことにより、その情報が運転支援ＥＣＵ１０の駐車経路演算部３０４に送信される。
【００３６】
駐車経路演算部３０４では、例えば車載表示装置９から駐車支援開始のボタンが押下された信号を受信した場合、自車両１の停車位置から上記選択された目標駐車位置までの駐車経路を演算する。なお、ここでの自車両１の停車位置は、車輪速センサ８から受信した各車輪７の車輪速や電動パワーステアリング装置６の操舵角センサから受信するステアリングホイール５の操舵角等を利用して算出しても良いし、自車停車位置推定部３０２での演算結果を利用しても良い。演算した結果は、車両制御ＥＣＵ１１に送信される。
【００３７】
車両制御ＥＣＵ１１では、駐車経路演算部３０４で演算された駐車経路に沿って自車両１が走行するように当該自車両１を制御することにより、運転者は、自車両１を前記目標駐車位置まで駐車するための車両操作中に適切な駐車支援を受けることができる。
【００３８】
図４は、図１に示す運転支援ＥＣＵ１０による駐車経路評価処理手順を説明したフローチャートである。なお、図４に示す処理は、繰り返し（定期的に）実行される。
【００３９】
まず、ステップＳ４０１では、カメラ２あるいはソナー３により取得した自車両１周辺の環境情報を解析し、自車両１が駐車可能な位置が存在するか否かを判定する。駐車可能な位置が見つかった場合、次のステップＳ４０２に進む。見つからない場合、再度ステップＳ４０１の処理を行う。
【００４０】
次いで、ステップＳ４０２では、車輪速センサ８から受信した各車輪７の車輪速から自車両１の速度を演算し、電動パワーステアリング装置６の操舵角センサから受信するステアリングホイール５の操舵角から自車両１の進行方向を演算し、自車両１の車速及び進行方向から自車両１の座標位置を演算する。また、あらかじめ実験等により収集した結果より、ステップＳ４０１で発見した駐車候補が車載表示装置９に表示されてから、運転者が何秒後にブレーキをかけて停車するかといったデータ等により、現在の自車両１の位置から自車両１が停車するであろう停車位置（推定停車位置）を演算する。
【００４１】
ステップＳ４０３では、ステップＳ４０１で発見した駐車候補や周辺の環境、ステップＳ４０２で算出した自車両１の推定停車位置、および自車両１の最小回転半径、全長、全幅等といった車両諸元をもとに、駐車経路を評価する。
【００４２】
図５〜図９は、図４のステップＳ４０３の駐車経路評価処理の概要を説明したものである。
【００４３】
図５中、５０１は駐車可能な位置を探すために運転者が手動操作で走行中の自車両１の位置を示しており、５０２は駐車可能な位置が車載表示装置９に表示されてから、運転者が何秒後にブレーキをかけて停車するかのデータ等により、自車両１が停車するであろう推定停車位置を示している。５０３は、推定停車位置５０２から、ある旋回半径Ｒ１で旋回したと想定した際の旋回中心を示している。５０４は、駐車可能な位置５０５内のある点から、ある旋回半径Ｒ２で旋回したと想定した際の旋回中心を示している。なお、５０３は、推定停車位置５０２に対して駐車可能な位置５０５側とは反対側にある旋回中心、５０４は、駐車可能な位置５０５内のある点に対して推定停車位置５０２側とは反対側にある旋回中心として設定される。
【００４４】
ここで、上記旋回半径Ｒ１、Ｒ２については、自車両１の最小回転半径をもとに設定する。詳しくは、各旋回半径Ｒ１、Ｒ２は、自車両１の最小回転半径以上であって、例えば自車両１の運転者の所望の値に設定することができる。また、各旋回半径Ｒ１、Ｒ２は、一定であっても良いし、（例えばステアリングホイール５の操舵操作等を考慮して）一定でなくても良い。また、旋回半径Ｒ１と旋回半径Ｒ２とは、同じであっても良いし、異なっていても良い。
【００４５】
ステップＳ４０３の駐車経路評価処理では、上記の旋回中心５０３、旋回半径Ｒ１を有する円弧５０６と、旋回中心５０４、旋回半径Ｒ２を有する円弧５０７との交点の数を演算し、その交点の数によって駐車可能な位置への駐車経路を評価する。図５に示す例の場合、上記交点の数は２つである。自車両１を駐車する際に、前進後、切返してから後退で目標駐車位置（駐車可能な位置）５０５に向かう駐車経路を考えた場合、後退時の駐車経路は、前進時の駐車経路５０８と円弧５０７とが交差する点５０９から、目標駐車位置５０５まで向かう円弧５０７の一部の円弧上となることが考えられる。その場合、車両動作の制約上、前進時の駐車経路５０８は、図示のようにＳ字を描く駐車経路や、前方に駐車経路が長くなる可能性が高く、運転者にとっては違和感を感じる駐車経路となったり、経路長が長くなる傾向にある。そのため、駐車経路を低く評価する。
【００４６】
次に、図６に示す例は、旋回中心６０３、旋回半径Ｒ１を有する円弧６０６と、旋回中心６０４、旋回半径Ｒ２を有する円弧６０７との交点の数を演算した場合、交点がないときの一例である。自車両１を駐車する際に、前進後、切返してから後退で目標駐車位置（駐車可能な位置）６０５に向かう駐車経路を考えた場合、後退時の駐車経路は、前進時の駐車経路６０８と円弧６０７とが交差する点６０９から、目標駐車位置６０５まで向かう円弧６０７の一部の円弧上となることが考えられる。交点がないときまたは交点が１つ（つまり、円弧６０６と円弧６０７が接している）のときは、車両動作の制約上、前進時の駐車経路６０８は、図示のように、片側方向に旋回する駐車経路となったり、駐車経路長を短くできる可能性が高く、そのような駐車経路は、運転者にとっては自然に感じる傾向にある。そのため、駐車経路を高く評価する。
【００４７】
図７は、図４のステップＳ４０３において駐車経路上における障害物の有無を加味して判定（評価）するときの例を説明するための図である。なお、この障害物の位置は、例えばカメラ２あるいはソナー３により取得した自車両１周辺の環境情報（外界情報）から得られる。
【００４８】
上記判定の方法の一例としては、例えば図６に示すような交点がないときまたは交点が１つのときにおいて（つまり、駐車経路が高く評価されているときにおいて）、円弧７０６の旋回半径Ｒ１を変更して（大きくして）、旋回中心７０３、旋回半径Ｒ１を有する円弧７０６と、旋回中心７０４、旋回半径Ｒ２を有する円弧７０７とが接するような、円弧７０６の旋回半径Ｒ１を求めるとともに、円弧７０６と円弧７０７との接点７０９を求める。なお、ここでは、駐車可能な位置７０５からの円弧７０７を固定値とし、推定停車位置７０２からの円弧７０６の旋回半径Ｒ１を変更して、円弧７０６と円弧７０７とが接する円弧を求めたが、推定停車位置７０２からの円弧７０６を固定値とし、駐車可能な位置７０５からの円弧７０７を変更して、円弧７０６と円弧７０７とが接する円弧を求めても良いし、推定停車位置７０２からの円弧７０６と駐車可能な位置７０５からの円弧７０７の両方を変更して、円弧７０６と円弧７０７とが接する円弧を求めても良い。
【００４９】
前進時の駐車経路は、推定停車位置７０２から接点７０９までの円弧部分、後退時の駐車経路は、接点７０９から目標駐車位置７０５までの円弧部分となると考えられるため、ステップＳ４０３の駐車経路評価処理では、上記各円弧部分に障害物７１０が存在しないか否かを判定する。障害物７１０が存在する場合は、障害物７１０を避けるような駐車経路を引く必要性があるために、運転者にとっては違和感を感じる駐車経路となる可能性が高い。そのため、そのような駐車経路を低く（あるいは、駐車不可と）評価する。
【００５０】
図８は、図４のステップＳ４０３において駐車経路を評価する際に、事前に実験等で調査したデータをもとに評価するときの例を説明するための図である。
【００５１】
図９に示すように、目標駐車位置８０５内のある点をxy座標の原点とし、推定停車位置８０２におけるx座標とy座標、および自車両１の方位８０３における駐車経路を事前に（例えば、出荷前や車両開発中に）机上環境等で演算し、その駐車経路の評価判定結果を予め記憶しておき、ステップＳ４０３の駐車経路評価処理では、その評価判定結果をもとに（加味して）目標駐車位置８０５への駐車経路を評価する。
【００５２】
なお、ステップＳ４０３の駐車経路評価処理において、図９に示す評価判定結果のみから、目標駐車位置８０５への駐車経路を評価しても良い。
【００５３】
図４のステップＳ４０３における評価結果は、車載表示装置９に送信され、自車両１の運転者が、車載表示装置９の画面表示をもとに、適宜の駐車可能な空間を選択するとともに、駐車支援開始の入力を行うことにより、自車両１の停車位置から上記選択された駐車可能な空間までの駐車経路が演算され、自車両１を前記駐車可能な空間まで駐車するための車両操作中に適切な駐車支援を受けることができる。
【００５４】
上記のように、本実施形態の運転支援装置１００では、車両１の運転者が駐車するために車両１が停車するであろう推定停車位置を演算し、車両１の運転者により車両１が停車した後に演算される駐車経路の簡易評価判定を事前に（車両１が走行中に）行い、車載表示装置９により車両１の運転者に事前に報知することにより、駐車支援を開始する前に運転者は駐車支援における駐車経路の優劣（例えば、優先順位）を知ることができ、目標駐車位置に対して駐車支援を使用した駐車をするか否かを判断することができる。そのため、実際に駐車支援を受ける際に、駐車経路が引けなくなってしまうことや、運転者が違和感を感じるような駐車経路が引かれることが少なくなり、車両１の運転者の利便性を高めることができる。
【００５５】
なお、本発明は上記した実施形態に限定されるものではなく、様々な変形形態が含まれる。例えば、上記した実施形態は本発明を分かりやすく説明するために詳細に説明したものであり、必ずしも説明した全ての構成を備えるものに限定されるものではない。
【００５６】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【００５７】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５８】
１…車両（自車両）
２…カメラ（外界情報取得部）
３…ソナー（外界情報取得部）
５…ステアリングホイール
６…電動パワーステアリング装置
７…車輪
８…車輪速センサ
９…車載表示装置
１０…運転支援ＥＣＵ
１１…車両制御ＥＣＵ
１００…運転支援装置
３０１…駐車可能位置演算部
３０２…自車停車位置推定部
３０３…駐車経路評価部
３０４…駐車経路演算部
【図１】
2019003530.tif 000003
【図２】
2019003530.tif 000004
【図３】
2019003530.tif 000005
【図４】
2019003530.tif 000006
【図５】
2019003530.tif 000007
【図６】
2019003530.tif 000008
【図７】
2019003530.tif 000009
【図８】
2019003530.tif 000010
【図９】
2019003530.tif 000011
【国際調査報告】
2019003530.tif 000012
2019003530.tif 000013
2019003530.tif 000014
2019003530.tif 000015